(57)【要約】【課題】電線類の制御盤への引き込みに関して、制御盤の上方から及び下方からの双方に対応することができ、製作コストの低減及び製品管理の容易化を実現することができるエレベータの制御盤装置を得る。【解決手段】内部に実装部品が設けられ、電線類９の引き込み口１４が形成された筐体部１１、筐体部１１を建築物側に固定するための取付台１２、筐体部１１を取付台１２に取り付けるための第１取付手段、筐体部１１を、第１取付手段を用いた場合とは上下に反転した状態で取付台１２に取り付けるための第２取付手段を備える。そして、第１取付手段を用いて筐体部１１を取付台１２に取り付けた場合に、引き込み口１４が筐体部１１の上部及び下部の一方に配置され、第２取付手段を用いた場合に、引き込み口１４が筐体部１１の上部及び下部の他方に配置されるように構成する。【選択図】図２
2009113964.tif 000002
【特許請求の範囲】
【請求項１】
エレベータの運行制御を司る制御盤装置であって、
その内部に実装部品が設けられ、電線類を内部に引き込むための引き込み口が形成された筐体部と、
前記筐体部を建築物側に固定するための取付台と、
前記筐体部に設けられ、前記筐体部を前記取付台に取り付けるための第１取付手段と、
前記筐体部に設けられ、前記筐体部を、前記第１取付手段を用いて前記取付台に取り付けた場合とは上下に反転した状態で前記取付台に取り付けるための第２取付手段と、
を備え、
前記第１取付手段を用いて前記筐体部が前記取付台に取り付けられた場合に、前記引き込み口が、前記筐体部の上部及び下部の一方に配置され、前記第２取付手段を用いて前記筐体部が前記取付台に取り付けられた場合に、前記引き込み口が、前記筐体部の上部及び下部の他方に配置される
ことを特徴とするエレベータの制御盤装置。
【請求項２】
筐体部に着脱自在に設けられ、前記筐体部の側面に形成された開口を塞ぐパネルと、
を更に備え、
前記パネルは、第１取付手段を用いて前記筐体部が取付台に取り付けられた場合、及び、第２取付手段を用いて前記筐体部が前記取付台に取り付けられた場合に、前記筐体部の向きに関わらず、一定の向きで前記筐体部に取り付け可能なことを特徴とする請求項１に記載のエレベータの制御盤装置。
【請求項３】
筐体部の内部に設けられた所定の実装部品と、
パネルに形成され、前記所定の実装部品に対向するように配置された開口部と、
を更に備え、
前記所定の実装部品は、その要部が、第１取付手段を用いて前記筐体部が取付台に取り付けられた場合、及び、第２取付手段を用いて前記筐体部が前記取付台に取り付けられた場合に、前記パネルが前記筐体部に取り付けられた状態で、前記開口部を介して前記筐体部の外側に面するように配置されたことを特徴とする請求項２に記載のエレベータの制御盤装置。
【請求項４】
筐体部の内部に設けられた所定の１つ又は複数の実装部品と、
パネルに形成され、何れかが前記所定の各実装部品に対向するように配置された偶数個の開口部と、
を更に備え、
前記所定の各実装部品は、その要部が、第１取付手段を用いて前記筐体部が取付台に取り付けられた場合、及び、第２取付手段を用いて前記筐体部が前記取付台に取り付けられた場合に、前記パネルが前記筐体部に取り付けられた状態で、前記開口部の何れかを介して前記筐体部の外側に面するように配置されるとともに、前記第１取付手段を用いて前記筐体部が前記取付台に取り付けられた場合と前記第２取付手段を用いて前記筐体部が前記取付台に取り付けられた場合とにおいて、異なる前記開口部に対向することを特徴とする請求項２に記載のエレベータの制御盤装置。
【請求項５】
筐体部は、第１取付手段及び第２取付手段を用いて、取付台の同じ位置に取り付けられることを特徴とする請求項１から請求項４の何れかに記載のエレベータの制御盤装置。
【発明の詳細な説明】
【技術分野】
【０００１】
この発明は、エレベータの制御盤装置に関するものである。
【背景技術】
【０００２】
エレベータの制御盤は、エレベータ全体に関する運行制御を司り、例えば、昇降路内や機械室等に設置される。そして、制御盤は、運行制御に必要な各種機器類との間で信号の送受信を行うため、エレベータの乗場や、昇降路内を昇降するかご、機械室内、昇降路内といった様々な場所に設けられた機器類と電線によって接続されている。
【０００３】
図１０は従来のエレベータの制御盤装置を示す正面図、図１１は図１０に示す従来のエレベータの制御盤装置の側面図であり、エレベータの機械室に設置された一般的なものを示している。図１０及び図１１において、２６はエレベータ機械室６に配置された制御盤を表している。この制御盤２６は、アンカーボルト２７を用いて、機械室６の床面６ａに強固に固定されている。また、エレベータの機器類との間に接続された電線類２８は、制御盤２６の下部に形成された引き込み口（図示せず）を通って制御盤２６の内部に引き込まれている。
【０００４】
ここで、電線類２８の制御盤２６への引き込みに関しては、法規による規制（例えば、米国においては、法規により、ダクトを用いて、電線類を制御盤の上方から制御盤の内部に引き込むこととされている。）や、エレベータを設置する建築物側の都合等によって、様々な制約が存在する。制御盤は、これらの制約にも適切に対応できなければならない。図１０及び図１１の制御盤２６は、電線類２８をその下部から内部に引き込むものの一例を示している。
【０００５】
一方、上述したような何らかの制約により、電線類をその下部から制御盤の内部に取り込むことができない場合もある。図１２は従来のエレベータの制御盤装置の他の構成を示す正面図、図１３は図１２に示す従来のエレベータの制御盤装置の側面図であり、かかる場合に対応した制御盤を示している。即ち、図１２及び図１３の制御盤２９は、電線類（図１２及び図１３において図示せず）をその上方から内部に引き込むものの一例を示している。
【０００６】
図１２及び図１３において、電線類は、ダクト３０の内部に収納されて制御盤２９の上方まで導かれ、制御盤２９の上面に形成された引き込み口（図示せず）を通って制御盤２９内に引き込まれる。なお、図１２及び図１３の制御盤２９は、図１０及び図１１に示す制御盤２６を、その引き込み口が上方となるように改造したものである。即ち、制御盤２９は、図１０及び図１１の制御盤２６の側部に、上面に引き込み口を形成するための部材３１が取り付けられたものを示している。
【０００７】
また、エレベータの制御盤装置の従来技術として、電線類を制御盤の下部からその内部に引き込む場合に、機械室の床面等にダクトを設置し、このダクト内に電線類を収納するようにしたものも提案されている（例えば、特許文献１参照）。
【０００８】
【特許文献１】特開平１０−２７９２３４号公報
【発明の開示】
【発明が解決しようとする課題】
【０００９】
特許文献１や図１０乃至図１３に記載されたもののように、エレベータの制御盤には、電線類の引き込み方式によって様々な種類（形状）のものが必要になる。このため、法規による規制や建築物側の都合等に合わせた設計及び製作が必要となり、製作コストが高騰したり、製品の管理が煩雑になるといった問題があった。
【００１０】
また、図１２及び図１３に示すもののように、電線類の引き込みに関する制約のために、既存の制御盤２６に部材３１等を取り付ける必要がある場合には、制御盤全体の寸法が大きくなり、省スペース化が図れないといった問題もあった。
【００１１】
この発明は、上述のような課題を解決するためになされたもので、その目的は、電線類の制御盤への引き込みに関して、制御盤の上方から及び下方からの双方に対応することができ、製作コストの低減及び製品管理の容易化を実現することができるエレベータの制御盤装置を提供することである。
【課題を解決するための手段】
【００１２】
この発明に係るエレベータの制御盤装置は、エレベータの運行制御を司る制御盤装置であって、その内部に実装部品が設けられ、電線類を内部に引き込むための引き込み口が形成された筐体部と、筐体部を建築物側に固定するための取付台と、筐体部に設けられ、筐体部を取付台に取り付けるための第１取付手段と、筐体部に設けられ、筐体部を、第１取付手段を用いて取付台に取り付けた場合とは上下に反転した状態で取付台に取り付けるための第２取付手段と、を備え、第１取付手段を用いて筐体部が取付台に取り付けられた場合に、引き込み口が、筐体部の上部及び下部の一方に配置され、第２取付手段を用いて筐体部が取付台に取り付けられた場合に、引き込み口が、筐体部の上部及び下部の他方に配置されるものである。
【発明の効果】
【００１３】
この発明によれば、電線類の制御盤への引き込みに関して、制御盤の上方から及び下方からの双方に対応することができ、製作コストの低減及び製品管理の容易化を実現することができるようになる。
【発明を実施するための最良の形態】
【００１４】
この発明をより詳細に説明するため、添付の図面に従ってこれを説明する。なお、各図中、同一又は相当する部分には同一の符号を付しており、その重複説明は適宜に簡略化ないし省略する。
【００１５】
実施の形態１．
図１はこの発明の実施の形態１におけるエレベータの全体構成を示す側面図である。図１において、１はエレベータの昇降路、２はエレベータの乗場、３は昇降路１内を昇降するかご、４はかご３とは昇降路１内を互いに逆方向に昇降する釣合い重り、５はかご３と釣合い重り４とを釣瓶式に懸架する主ロープである。
【００１６】
６は昇降路１の上方に設けられたエレベータの機械室である。機械室６には、例えば、かご３を駆動する巻上機７や、エレベータ全体の運行制御を司る制御盤８等が設置されている。そして、制御盤８は、運行制御に必要な各種機器類との間で信号の送受信を行うため、乗場２やかご３、昇降路１内、機械室６内といった様々な場所に設けられた機器類と、電線類９によって接続されている。なお、９ａは乗場２に設置されたエレベータ機器類（例えば、乗場操作盤、乗場インジケータ）との間に接続された電線類を、９ｂはかご３に設置されたエレベータ機器類（例えば、ドア制御装置、かご操作盤）との間に接続された電線類を、９ｃは機械室６内に設置されたエレベータ機器類（例えば、巻上機７）との間に接続された電線類を示している。
【００１７】
また、電線類９は、制御盤８の上方からこの制御盤８の内部に引き込まれており、機械室６内においては、露出しないようにダクト１０内に収納されている。
以下に、この制御盤８の構成及び機能について具体的に説明する。
【００１８】
図２はこの発明の実施の形態１におけるエレベータの制御盤装置の要部を示す斜視図、図３は図２示すエレベータの制御盤装置の外観斜視図である。図２及び図３において、制御盤８は、その内部に種々の実装部品が設けられる筐体部１１と、筐体部１１を建築物側（実施の形態１においては機械室６の床面６ａ）に固定するための取付台１２と、筐体部１１に着脱自在に設けられた前面パネル１３とによって、その主要部が構成される。なお、図２においては、筐体部１１に収納された実装部品は、説明等の簡略化のために図示が省略されている。
【００１９】
筐体部１１は、その前面（一側面）の大部分が開口する箱状を呈しており、その上面に、電線類９をその内部に引き込むための引き込み口１４が形成されている。また、筐体部１１の上面には、引き込み口１４の両側に、ダクト１０の一端部をボルト等（図示せず）によって筐体部１１の上面に固定するための貫通孔１５ａ及び１５ｂ（或いは、ネジ孔）が形成されている。
【００２０】
一方、筐体部１１の下面には、上記貫通孔１５ａ及び１５ｂの直下部（対向位置）に、筐体部１１をボルト等（図示せず）によって取付台１２の上面に取り付けるための貫通孔１６ａ及び１６ｂ（第１取付手段）（筐体部１１上面の１５ａ及び１５ｂがネジ孔の場合にはネジ孔）が形成されている。この貫通孔１６ａ及び１６ｂは、その相対位置（貫通孔１６ａ及び１６ｂの場合は、その距離）が、貫通孔１５ａ及び１５ｂの相対位置と同じになるように配置される。なお、筐体部１１の下面には、その上面のように、電線類９を筐体部１１の内部に引き込むための引き込み口１４のようなものは形成されていない。
【００２１】
上記前面パネル１３は、筐体部１１の前面に形成された開口を塞ぐように配置され、ボルト等（図示せず）によって筐体部１１に固定される。なお、１７は前面パネル１３の筐体部１１に対する着脱を容易にするために形成されたダルマ孔である。また、図２の１８ａ乃至１８ｄは、前面パネル１３を筐体部１１の所定位置に取り付けるための複数（図２においては４個）のネジ孔を示している。このネジ孔１８ａ乃至１８ｄは、対角に配置されたネジ孔１８ａ及び１８ｄの各中心を結んだ直線と、対角に配置された他のネジ孔１８ｂ及び１８ｃの各中心を結んだ直線との交点を中心として、点対称に配置されている。
【００２２】
上記構成を有する制御盤８では、電線類９は、図２に示すように引き込み口１４を通って制御盤８の上方から筐体部１１の内部に引き込まれる。そして、電線類９は、筐体部１１内部の引き込み口１４近傍に配置された電線接続部１９に接続される。
【００２３】
以上の説明は、電線類９を制御盤８の上方から筐体部１１の内部に引き込む必要がある場合の構成についてである。一方、この制御盤８は、同じ筐体部１１等を使用して、制御盤８の下方から電線類９を筐体部１１の内部に引き込むことができるようにも構成されている。即ち、制御盤８は、２方向（制御盤８の上方及び下方）からの引き込みに対応できる機能を有している。
以下に、電線類９を制御盤８の下方から筐体部１１の内部に引き込む場合の構成について説明する。
【００２４】
図４は図２に示すエレベータの制御盤装置の他の取り付け状態における要部斜視図、図５は図４に示すエレベータの制御盤装置の外観斜視図である。図４及び図５において、制御盤８の主要部を構成する筐体部１１、取付台１２、前面パネル１３は、それら自体は図２及び図３に示すものと同じものである。但し、筐体部１１及びこの筐体部１１に設けられた実装部品（図示せず）は、図２及び図３に示す場合とは上下に反転した状態で取付台１２に取り付けられている。
【００２５】
即ち、筐体部１１が図２及び図３に示す場合とは上下に反転した状態で取付台１２に取り付けられることにより、引き込み口１４と貫通孔１５ａ及び１５ｂとが、筐体部１１の下面に配置される。そして、筐体部１１は、この貫通孔１５ａ及び１５ｂ（第２取付手段）を用いて、ボルト等によって取付台１２の上面に固定される。
【００２６】
上述のように、貫通孔１５ａ及び１５ｂと貫通孔１６ａ及び１６ｂとは、その各位置関係が予め同じになるように形成されている。このため、筐体部１１を上下反転させても、貫通孔１５ａ及び１５ｂ並びに同じボルト等を用いて、筐体部１１を取付台１２の同じ位置に取り付けることができる。なお、図４に示すように、取付台１２には、電線類９の筐体部１１内への引き込みのため、筐体部１１の引き込み口１４が対向する部分（実施の形態１においては取付台１２の上面の所定位置）に、この引き込み口１４の形状及び大きさに合わせた開口部２０が形成されている。
【００２７】
また、前面パネル１３は、筐体部１１の取付向きに関わらず、一定の向きで筐体部１１に取り付けられる。即ち、前面パネル１３は、貫通孔１６ａ及び１６ｂを用いて筐体部１１が取付台１２に取り付けられた場合、及び、貫通孔１５ａ及び１５ｂを用いて筐体部１１が取付台１２に取り付けられた場合の双方の場合に、一定の向きで筐体部１１に取り付けることができるように構成されている。
【００２８】
前面パネル１３は、筐体部１１内の実装部品の点検等が必要なことから、筐体部１１に対して着脱自在に構成され、更に、着脱を容易にするためのダルマ孔１７や、放熱用のルーバー２１（よろい窓ともいう）等が設けられている。このため、前面パネル１３の取付向きを変更すると、作業性や放熱性等が悪化する恐れがある。上述のように、筐体部１１に設けられたネジ孔１８ａ乃至１８ｄ（及び、ネジ孔１８ａ乃至１８ｄに対応のダルマ孔１７）は、所定の点を中心として点対称に配置されている。このため、筐体部１１を上下反転させた場合であっても、ネジ孔１８ａ乃至１８ｄ並びに同じボルト等を用いて、前面パネル１３を筐体部１１に取り付けることができる。
【００２９】
上記のように組み立てられた制御盤８では、電線類９は、図４に示すように、開口部２０及び引き込み口１４を通って制御盤８の下方から筐体部１１の内部に引き込まれる。そして、電線類９は、筐体部１１内部の引き込み口１４近傍に配置された電線接続部１９に接続される。
【００３０】
なお、筐体部１１は、上述のように、内部の実装部品が固定された状態で上下に反転され、取付台１２に固定される。例えば、図４及び図５に示す場合において、電線接続部１９は、引き込み口１４近傍の筐体部１１の下部に配置されている。即ち、電線接続部１９と引き込み口１４との距離は、筐体部１１の取付向きに関わらず一定となる。このため、筐体部１１内の電線類９の長さを筐体部１１の取付向きとは関係なく短くすることができ、その結果、筐体部１１内における電線類９の引きまわし等が必要なくなり、作業性の向上及び筐体部１１の小型化を図ることが可能となる。
【００３１】
この発明の実施の形態１によれば、電線類９の制御盤８への引き込みに関して、制御盤８の上方から及び下方からの双方に対応することができるようになり、法規による規制や、エレベータ設置現場における建築物側の都合等に合わせて、柔軟な対応が可能となる。そして、上記の理由から、電線類９の引き込み方式に合わせて複数の制御盤８を設計及び製作する必要がなくなり、製作コストの低減及び製品管理の容易化を実現することができるようになる。
【００３２】
また、筐体部１１を上下に反転させることによって、電線類９の引き込み方向を変更することができるため、従来のように電線類９を配線するための余計な部品（例えば、部材３１）等は必要なく、省スペース化の要請にも対応できる。
【００３３】
また、筐体部１１を貫通孔１６ａ及び１６ｂを用いて取付台１２に取り付ける場合と貫通孔１５ａ及び１５ｂを用いて取り付ける場合との双方の場合において、筐体部１１を取付台１２の同じ位置（同じネジ孔等）に取り付けることができるため、制御盤８の構成の簡素化が可能になる。
【００３４】
なお、実施の形態１においては、第１取付手段及び第２取付手段として、貫通孔（或いはネジ孔）を採用した場合について説明したが、筐体部１１を取付台１２に取り付けることができれば、その構成は如何なるものであっても構わない。
【００３５】
実施の形態２．
図６はこの発明の実施の形態２におけるエレベータの制御盤装置の外観を示す斜視図、図７は図６に示すエレベータの制御盤装置の他の取り付け状態における外観斜視図である。図６に示す制御盤８は、電線類９を制御盤８の下方から筐体部１１の内部に引き込む場合の構成を示している。図６において、２２は筐体部１１に設けられた電源スイッチである。この電源スイッチ２２は実装部品の一部を構成する。
【００３６】
電源スイッチ２２は、図６に示すように、前面パネル１３が筐体部１１に取り付けられている状態で、制御盤８の外側から操作することができるように構成されている。このため、前面パネル１３には、電源スイッチ２２に対向する位置に、電源スイッチ２２の形状及び大きさに対応する開口部２３が形成されており、電源スイッチ２２の操作部分（スイッチ、ツマミ等）が、この開口部２３を介して筐体部１１の外側に面するように配置されている。
【００３７】
また、図７は、図６に示す筐体部１１及びこの筐体部１１に設けられた実装部品（電源スイッチ２２を含む）が上下に反転した状態で取付台１２に取り付けられたものを示している。即ち、図７に示す制御盤８は、電線類９を制御盤８の上方から筐体部１１の内部に引き込む場合の構成を示している。図７に示すように、電源スイッチ２２と開口部２３とは、筐体部１１が上下反転された場合であっても、電源スイッチ２２が、開口部２３を介して筐体部１１の外側に面するように配置される。即ち、電源スイッチ２２は、筐体部１１の取付向きに関わらず、前面パネル１３が筐体部１１に取り付けられている状態で、開口部２３を介して制御盤８の外側から操作することができるように構成される。
その他は、実施の形態１と同様の構成を有する。
【００３８】
この発明の実施の形態２によれば、電源スイッチ２２等のように操作や表示が必要な実装部品が筐体部１１内に設けられている場合であっても、その実装部品の操作性や表示性等を損ねることなく、実施の形態１と同様の効果を奏することが可能となる。なお、電源スイッチ２２の前面に文字列等を表示する必要がある場合には、図６及び図７に示すように、文字列等を横向きに配置し、上から下或いは下から上に文字を読むことができるようにすると良い。かかる構成によれば、電源スイッチ２２前面に表示された文字列が、筐体部１１を上下反転させた場合に上下逆さまになるようなこともなく、この文字列が読みづらくなるといった問題を解消できる。
【００３９】
実施の形態３．
図８はこの発明の実施の形態３におけるエレベータの制御盤装置の外観を示す斜視図、図９は図８に示すエレベータの制御盤装置の他の取り付け状態における外観斜視図である。図８に示す制御盤８は、電線類９を制御盤８の下方から筐体部１１の内部に引き込む場合の構成を示している。図８において、２４は筐体部１１に設けられた表示ランプである。この表示ランプ２４は、電源スイッチ２２と共に実装部品の一部を構成する。
【００４０】
表示ランプ２４は、図８に示すように、前面パネル１３が筐体部１１に取り付けられている状態で、制御盤８の外側からそのランプ表示を目視することができるように構成されている。このため、前面パネル１３には、電源スイッチ２２に対応する開口部２３の他にも、表示ランプ２４に対向する位置に、表示ランプ２４の形状及び大きさに対応する開口部２５が形成されている。即ち、表示ランプ２４の表示部分は、この開口部２５を介して筐体部１１の外側に面するように配置されている。
【００４１】
また、図９は、図８に示す筐体部１１及びこの筐体部１１に設けられた実装部品（電源スイッチ２２及び表示ランプ２４を含む）が上下に反転した状態で取付台１２に取り付けられたものを示している。即ち、図９に示す制御盤８は、電線類９を制御盤８の上方から筐体部１１の内部に引き込む場合の構成を示している。
【００４２】
図６及び図７に示すように、前面パネル１３に開口部２３が１つだけ必要になる場合には、その開口部２３を前面パネル１３の中央部に配置することにより、筐体部１１の反転に対応させることができる。しかし、図８及び図９に示すように、前面パネル１３に複数の開口部（実施の形態３においては２つの開口部２３及び２５）が形成された場合には、筐体部１１の反転前後において、操作や表示等が必要な所定の実装部品に対して、異なる開口部が対向するように構成しなければならない。
【００４３】
即ち、図９においては、電源スイッチ２２が開口部２５を介して筐体部１１の外側に面するように配置され、表示ランプ２４が開口部２３を介して筐体部１１の外側に面するように配置される。
なお、その他は、実施の形態２と同様の構成を有する。
【００４４】
この発明の実施の形態３によれば、電源スイッチ２２や表示ランプ２４等のように操作や表示が必要な実装部品が筐体部１１内に複数設けられている場合であっても、その実装部品の操作性や表示性等を損ねることなく、実施の形態１と同様の効果を奏することが可能となる。
【００４５】
なお、実施の形態３においては、操作や表示等が必要な所定の実装部品として、電源スイッチ２２と表示ランプ２４との２つ（偶数個）について説明したが、このような実装部品が１つ又は複数個（奇数個を含む）の場合であっても対応は可能である。かかる場合には、言うまでもないが、上記所定の実装部品を、所定の点を中心として点対称に配置しておき、上記所定の各実装部品に対向するように、偶数個の開口部を前面パネル１３に形成しておく。なお、上記所定の実装部品が奇数個の場合には、例えば、板金部品等によって、余った１つの開口部を塞ぐように構成しておけば良い。
その他は、実施の形態２と同様の効果を奏する。
【図面の簡単な説明】
【００４６】
【図１】この発明の実施の形態１におけるエレベータの全体構成を示す側面図である。
【図２】この発明の実施の形態１におけるエレベータの制御盤装置の要部を示す斜視図である。
【図３】図２示すエレベータの制御盤装置の外観斜視図である。
【図４】図２に示すエレベータの制御盤装置の他の取り付け状態における要部斜視図である。
【図５】図４に示すエレベータの制御盤装置の外観斜視図である。
【図６】この発明の実施の形態２におけるエレベータの制御盤装置の外観を示す斜視図である。
【図７】図６示すエレベータの制御盤装置の他の取り付け状態における外観斜視図である。
【図８】この発明の実施の形態３におけるエレベータの制御盤装置の外観を示す斜視図である。
【図９】図８に示すエレベータの制御盤装置の他の取り付け状態における外観斜視図である。
【図１０】従来のエレベータの制御盤装置を示す正面図である。
【図１１】図１０に示す従来のエレベータの制御盤装置の側面図である。
【図１２】従来のエレベータの制御盤装置の他の構成を示す正面図である。
【図１３】図１２に示す従来のエレベータの制御盤装置の側面図である。
【符号の説明】
【００４７】
１  昇降路
２  乗場
３  かご
４  釣合い重り
５  主ロープ
６  機械室
６ａ  床面
７  巻上機
８、２６、２９  制御盤
９、９ａ、９ｂ、９ｃ、２８  電線類
１０、３０  ダクト
１１  筐体部
１２  取付台
１３  前面パネル
１４  引き込み口
１５ａ、１５ｂ、１６ａ、１６ｂ  貫通孔
１７  ダルマ孔
１８ａ、１８ｂ、１８ｃ、１８ｄ  ネジ孔
１９  電線接続部
２０、２３、２５  開口部
２１  ルーバー
２２  電源スイッチ
２４  表示ランプ
２７  アンカーボルト
３１  部材
【図１】
2009113964.tif 000003
【図２】
2009113964.tif 000004
【図３】
2009113964.tif 000005
【図４】
2009113964.tif 000006
【図５】
2009113964.tif 000007
【図６】
2009113964.tif 000008
【図７】
2009113964.tif 000009
【図８】
2009113964.tif 000010
【図９】
2009113964.tif 000011
【図１０】
2009113964.tif 000012
【図１１】
2009113964.tif 000013
【図１２】
2009113964.tif 000014
【図１３】
2009113964.tif 000015